(57)【要約】【課題】  外部機器が接続される場合であっても適切な電波強度で電波を送信する。【解決手段】  携帯電話機は、アンテナと、アンテナから電波を送信するＦＭトランスミッタと、充電器と接続される充電端子と、充電端子に充電器が接続されたことを検出する検出部（Ｓ０３でＹＥＳ）と、充電器との間の距離を測定する測距部（Ｓ０４）と、充電器が接続されたことが検出された場合に測定された距離に基づいてＦＭトランスミッタが電波を送信する送信電力を制御する電力制御部（Ｓ０６、Ｓ０９）と、を備える。【選択図】        図５
2010056971.tif 000002
【特許請求の範囲】
【請求項１】
アンテナと、
前記アンテナから電波を送信する送信手段と、
外部機器と接続される接続手段と、
前記接続手段に外部機器が接続されたことを検出する検出手段と、
前記外部機器との間の距離を測定する距離測定手段と、
前記外部機器が接続されたことが検出された場合に前記測定された距離に基づいて前記送信手段が電波を送信する送信電力を制御する送信電力制御手段と、を備えた電子機器。
【請求項２】
前記送信電力制御手段は、前記測定された距離がしきい値以上の場合、送信電力を、前記接続手段に外部機器が接続されていない場合における送信電力よりも小さい第１の送信電力とする、請求項１に記載の電子機器。
【請求項３】
前記送信電力制御手段は、前記測定された距離がしきい値より小さい場合、送信電力を、所定の操作が入力されることを条件に、前記測定された距離がしきい値以上の場合における前記第１の送信電力よりも大きい第２の送信電力とする、請求項２に記載の電子機器。
【請求項４】
前記距離測定手段により測定された距離がしきい値より小さい場合、または、前記距離測定手段により距離を測定できない場合に、警告を発する警告手段をさらに備えた、請求項１〜３のいずれかに記載の電子機器。
【請求項５】
前記送信電力制御手段は、前記測定された距離が第１のしきい値以上の場合、または、前記第１のしきい値より小さい第２のしきい値以下で所定の操作が入力される場合、前記第１および第２のしきい値それぞれに対して予め定められた送信電力に制御する、請求項１に記載の電子機器。
【請求項６】
前記外部機器は、光を発する発光手段を有し、
前記距離測定手段は、前記発光手段により発せられる光の強度を測定する発光強度測定手段を含み、該測定された光の強度に基づいて距離を測定する、請求項１〜５のいずれかに記載の電子機器。
【請求項７】
前記距離測定手段により測定された距離がしきい値より小さい場合、警告を発する警告手段をさらに備え、
前記送信電力制御手段は、前記測定された距離がしきい値より小さい場合、送信電力を、前記警告手段により警告が発せられた後、前記測定された距離がしきい値以上の場合における前記第１の送信電力よりも大きい第２の送信電力とする請求項２記載の電子機器。
【請求項８】
アンテナと、
前記アンテナから電波を送信する送信手段と、
外部機器と接続される接続手段と、を備えた電子機器で実行される送信電力制御方法であって、
前記接続手段に外部機器が接続されたことを検出するステップと、
前記外部機器の接続が検出されることに応じて、前記外部機器との間の距離を測定するステップと、
前記測定された距離に基づいて前記送信手段が電波を送信する送信電力を制御するステップと、を備えた送信電力制御方法。
【請求項９】
アンテナと、
前記アンテナから電波を送信する送信手段と、
外部機器と接続される接続手段と、を備えた電子機器で実行される送信電力制御プログラムであって、
前記接続手段に外部機器が接続されたことを検出するステップと、
前記外部機器の接続が検出されることに応じて、前記外部機器との間の距離を測定するステップと、
前記測定された距離に基づいて前記送信手段が電波を送信する送信電力を制御するステップと、を前記電子機器を制御するコンピュータに実行させる送信電力制御プログラム。
【発明の詳細な説明】
【技術分野】
【０００１】
この発明は、電子機器、送信電力切換方法および送信電力切換プログラムに関し、特にアンテナから信号を送出するトランスミッタを備えた電子機器、その電子機器で実行される送信電力切換方法および送信電力切換プログラムに関する。
【背景技術】
【０００２】
携帯電話機は、アンテナからＦＭ電波を送出するＦＭトランスミッタを備えたものが登場している（例えば、特許文献１）。携帯電話機に記憶された音楽データを再生した信号をＦＭトランスミッタがアンテナを介してＦＭ電波を送出することにより、ラジオ受信機でその信号を受信し、音声出力することができる。
【０００３】
一方、携帯電話機は、イヤホンと接続するための接続端子、パーソナルコンピュータ等のシリアル通信機器と接続するための接続端子、充電器と接続するための接続端子を備えており、イヤホン、シリアル通信機器または充電器などの外部機器と接続される。しかしながら、携帯電話機が外部機器と接続されると、ＦＭトランスミッタに接続されたアンテナのアンテナ利得が変化する。このため、ＦＭトランスミッタが送出するＦＭ電波の電界強度が、予め定められた値を超える場合がある。従来は、外部機器が接続される場合はＦＭトランスミッタによる送信を禁止するか、あるいはＦＭトランスミッタの送信電力を外部機器が接続された場合に最大となるアンテナ利得に基づいて定められた送信電力とするようにしていた。しかしながら、前者の場合は、外部機器が接続される場合にＦＭトランスミッタを機能させることができない。また、後者の場合は、携帯電話に外部機器が接続されない状態において、アンテナ利得が小さくなるので、ＦＭトランスミッタから出力される電波の強度が十分なものとならない。このため、電波による情報の送受信が困難となる場合があるという問題があった。
【特許文献１】特開２００７−１９２５６４号公報
【発明の開示】
【発明が解決しようとする課題】
【０００４】
この発明は上述した問題点を解決するためになされたもので、この発明の目的の一つは、外部機器が接続される場合であっても適切な電波強度で電波を送信することが可能な電子機器を提供することである。
【０００５】
この発明の他の目的の一つは、外部機器が接続される場合であっても適切な電波強度で電波を送信することが可能な送信電力制御方法を提供することである。
【０００６】
この発明のさらに他の目的は、外部機器が接続される場合であっても適切な電波強度で電波を送信することが可能な送信電力制御プログラムを提供することである。
【課題を解決するための手段】
【０００７】
上述した目的を達成するために、この発明のある局面によれば、電子機器は、アンテナと、アンテナから電波を送信する送信手段と、外部機器と接続される接続手段と、接続手段に外部機器が接続されたことを検出する検出手段と、外部機器との間の距離を測定する距離測定手段と、外部機器が接続されたことが検出された場合に測定された距離に基づいて送信手段が電波を送信する送信電力を制御する送信電力制御手段と、を備える。
【０００８】
この局面に従えば、外部機器が接続されたことが検出された場合に、外部機器との間の距離が測定され、測定された距離に基づいて電波を送信する送信電力が制御される。外部機器との間の距離に基づいて外部機器と接続された全体の形状が定まり、アンテナ利得が定まるので、送信される電波の電波強度を所定の値以下に抑えることができる。その結果、外部機器が接続される場合であっても適切な電波強度で電波を送信することが可能な電子機器を提供することができる。
【０００９】
好ましくは、送信電力制御手段は、測定された距離がしきい値以上の場合、送信電力を、接続手段に外部機器が接続されていない場合における送信電力よりも小さい第１の送信電力とする。
【００１０】
この局面に従えば、外部機器との間の距離がしきい値以上の場合、外部機器と接続された全体の形状が定まり、アンテナ利得が増大するが、送信電力を、外部機器が接続されていない場合における送信電力よりも小さい第１の送信電力とするので、送信される電波の電波強度が大きくならないようにすることができる。
【００１１】
好ましくは、送信電力制御手段は、測定された距離がしきい値より小さい場合、送信電力を、所定の操作が入力されることを条件に、測定された距離がしきい値以上の場合における第１の送信電力よりも大きい第２の送信電力とする。
【００１２】
この局面に従えば、外部機器との間の距離がしきい値より小さい場合における外部機器と接続された全体の形状を１つ定めておけば、その定められた形状のアンテナ利得が求まり、そのアンテナ利得は外部機器との間の距離がしきい値以上の場合のそれよりも小さくなる。外部機器との間の距離がしきい値より小さい場合に、予め定められた外部機器と接続された全体の形状がユーザに確認されると、外部機器との間の距離がしきい値以上の場合における第１の送信電力よりも大きい第２の送信電力とするので、送信される電波の電波強度を、所定の値以下に抑えつつ、可能な限り大きくすることができる。
【００１３】
好ましくは、距離測定手段により測定された距離がしきい値より小さい場合、または、距離測定手段により距離を測定できない場合に、警告を発する警告手段をさらに備える。
【００１４】
この局面に従えば、ユーザに外部機器との接続形状が適切でないことを通知することができる。
【００１５】
好ましくは、送信電力制御手段は、測定された距離が第１のしきい値以上の場合、または、第１のしきい値より小さい第２のしきい値以下の場合、第１および第２のしきい値それぞれに対して予め定められた送信電力に制御する。
【００１６】
この局面に従えば、外部機器と接続された全体の形状が異なればアンテナ利得が異なる。外部機器との間の距離が第１しきい値以上の場合、外部機器との間の距離が第２しきい値より小さい場合それぞれにおいて、外部機器と接続された全体の形状を１つ定めておけば、その定められた形状のアンテナ利得が求まる。外部機器との間の距離が第１しきい値以上の場合、外部機器との間の距離が第２しきい値より小さい場合それぞれにおいて予め定められた送信電力で電波を送信するので、送信される電波の電波強度を、所定の値以下に抑えつつ、可能な限り大きくすることができる。
【００１７】
好ましくは、外部機器は、光を発する発光手段を有し、距離測定手段は、発光手段により発せられる光の強度を測定する発光強度測定手段を含み、該測定された光の強度に基づいて距離を測定する。
【００１８】
好ましくは、距離測定手段により測定された距離がしきい値より小さい場合、警告を発する警告手段をさらに備え、送信電力制御手段は、測定された距離がしきい値より小さい場合、送信電力を、警告手段により警告が発せられた後、測定された距離がしきい値以上の場合における第１の送信電力よりも大きい第２の送信電力とする。
【００１９】
この発明の他の局面によれば、送信電力制御方法は、アンテナと、アンテナから電波を送信する送信手段と、外部機器と接続される接続手段と、を備えた電子機器で実行される送信電力制御方法であって、接続手段に外部機器が接続されたことを検出するステップと、外部機器の接続が検出されることに応じて、外部機器との間の距離を測定するステップと、測定された距離に基づいて送信手段が電波を送信する送信電力を制御するステップと、を備える。
【００２０】
この局面に従えば、外部機器が接続される場合であっても適切な電波強度で電波を送信することが可能な送信電力制御方法を提供することができる。
【００２１】
この発明のさらに他の局面によれば、送信電力制御プログラムは、アンテナと、アンテナから電波を送信する送信手段と、外部機器と接続される接続手段と、を備えた電子機器で実行される送信電力制御プログラムであって、接続手段に外部機器が接続されたことを検出するステップと、外部機器の接続が検出されることに応じて、外部機器との間の距離を測定するステップと、測定された距離に基づいて送信手段が電波を送信する送信電力を制御するステップと、を電子機器を制御するコンピュータに実行させる送信電力制御プログラム。
【００２２】
この局面に従えば、外部機器が接続される場合であっても適切な電波強度で電波を送信することが可能な送信電力制御プログラムを提供することができる。
【発明を実施するための最良の形態】
【００２３】
以下、本発明の実施の形態について図面を参照して説明する。以下の説明では同一の部品には同一の符号を付してある。それらの名称および機能も同じである。したがってそれらについての詳細な説明は繰返さない。
【００２４】
図１は、本発明の実施の形態の一つにおける携帯電話機の外観を示す斜視図である。図１（Ａ）は、オープンスタイルの状態にある携帯電話機１の外観を示し、図１（Ｂ）はクローズスタイルの状態にある携帯電話機１の外観を示す。図１（Ａ）および図１（Ｂ）を参照して、携帯電話機１は、操作側部３と、表示側部２とを含む。操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００２５】
操作側部３は、電源キー１４Ａ、テンキーおよび通話キー等を含む操作キー１４と、マイクロホン１３とが内側面に配置され、イヤホン端子１７、リアル通信端子１８および充電端子１９が右側面に配置される。
【００２６】
表示側部２は、液晶表示装置（ＬＣＤ）１５と、レシーバを構成する第１スピーカ１１と、カメラ２４とが内側面に配置され、小型ＬＣＤ１５Ａと、第２スピーカ１２とが外側面に配置される。なお、ここでは携帯電話機１がＬＣＤ１５を備える例を示すが、ＬＣＤ１５に代えて、有機ＥＬ（ＥｌｅｃｔｒｏＬｕｍｉｎｅｓｃｅｎｃｅ）ディスプレイを用いてもよい。
【００２７】
イヤホン端子１７は、外部機器としてのイヤホンが接続され、シリアル通信（Ｕｎｉｖｅｒｓａｌ  Ｓｅｒｉａｌ  Ｂｕｓ）端子１８は、外部機器としてパーソナルコンピュータまたは充電器などのシリアル通信が可能な機器が接続される。なお、イヤホン端子１７に接続されるイヤホンはイヤホンマイクを含む。充電端子１９は、外部機器としての充電器が接続される。
【００２８】
図２は、本実施の形態における携帯電話機の機能の一例を示す機能ブロック図である。図２を参照して、携帯電話機１は、携帯電話機１の全体を制御するための制御部２１と、アンテナ２２Ａと接続された無線回路２２と、アンテナ２３Ａと接続されたＦＭトランスミッタ２３と、音声データを処理するためのコーデック部２８と、コーデック部２８の入出力を切換えるための切換部２９と、それぞれが切換部２９に接続されたマイクロホン１３、第１スピーカ１１、第２スピーカ１２、イヤホン端子１７と、カメラ２４と、ユーザの操作の入力を受付ける操作キー１４と、振動部２６と、ＬＣＤ１５の表示を制御するための表示制御部３０と、制御部２１で実行するプログラム等を記憶するためのＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）３１と、制御部２１の作業領域として使用されるＲＡＭ（Ｒａｎｄｏｍ  Ａｃｃｅｓｓ  Ｍｅｍｏｒｙ）３２と、シリアル通信端子１８と、充電端子１９と、受光部２５と、を含む。
【００２９】
無線回路２２は、アンテナ２２Ａにより受信された無線信号が入力され、無線信号を復調した音声信号をコーデック部２８に出力する。また、無線回路２２は、コーデック部２８から音声信号が入力され、音声信号を変調した無線信号をアンテナ２２Ａに出力する。
【００３０】
コーデック部２８は、無線回路２２から入力される音声信号を復号し、復号したデジタルの音声信号をアナログに変換し、増幅し、そして切換部２９に出力する。また、コーデック部２８は、切換部２９を介してマイクロホン１３からアナログの音声信号が入力され、音声信号をデジタルに変換し、符号化し、そして符号化した音声信号を無線回路２２に出力する。
【００３１】
ＦＭトランスミッタ２３は、制御部２１により制御され、制御部２１がＥＥＰＲＯＭ３１に記憶された音楽データを再生したアナログの音声信号を変調し、変調した無線信号に基づく電波をアンテナ２３Ａから送信する。ここでは、ＦＭトランスミッタ２３は、ＦＭ（Ｆｒｅｑｅｎｃｙ  Ｍｏｄｕｌａｔｉｏｎ）周波数の電波をアンテナ２３Ａから送信する。なお、ＦＭ周波数に限らず、ＡＭ（Ｆｒｅｑｅｎｃｙ  Ｍｏｄｕｌａｔｉｏｎ）周波数の電波を送信するようにしてもよく、周波数を限定するものではない。また、ＦＭトランスミッタ２３は、増幅器を備えており電波を送信するための送信電力を変更することが可能である。ＦＭトランスミッタ２３は、制御部２１から指示された送信電力で、電波をアンテナ２３Ａから送信する。
【００３２】
切換部２９は、制御部２１により制御され、コーデック部２８への音声信号の入出力を切換える。切換部２９は、コーデック部２８から受け付けた音声信号を、イヤホン端子１７、第１スピーカ１１および第２スピーカ１２のいずれかに出力する。イヤホン端子１７にイヤホンが接続されている場合には、コーデック部２８から受け付けた音声信号をイヤホン端子１７に出力する。イヤホン端子１７にイヤホンが接続されていない場合、携帯電話機１がハンズフリーモードであれば、コーデック部２８から受け付けた音声信号を第２スピーカ１２に出力し、携帯電話機１がハンズフリーモードでなければ、コーデック部２８から受け付けた音声信号を第１スピーカ１１に出力する。ユーザが操作キー１４を操作することにより、携帯電話機１がハンズフリーモードに設定される。また、携帯電話機１がオープンスタイルで通話状態のときハンズフリーモードに設定されていなくても、携帯電話機１の状態がクローズスタイルに変化すると、制御部２１は、ハンズフリーモードに設定する。このため、切換部２９は、携帯電話機１がオープンスタイルで通話状態のときハンズフリーモードに設定されていなければ、コーデック部２８から受け付けた音声信号を第１スピーカ１１に出力するが、携帯電話機１の状態がクローズスタイルに変化するとコーデック部２８から受け付けた音声信号を第２スピーカ１２に出力する。
【００３３】
切換部２９は、マイクロホン１３が出力する音声信号をコーデック部２８に出力する。また、切換部２９は、イヤホン端子にイヤホンマイクが接続されている場合は、イヤホン端子１７から受け付けた音声信号をコーデック部２８に出力し、イヤホン端子１７にイヤホンマイクが接続されていない場合は、マイクロホン１３から受け付けた音声信号をコーデック部２８に出力する。
【００３４】
表示制御部３０は、制御部２１により制御され、制御部２１から入力される指示に従ってＬＣＤ１５を制御して、ＬＣＤ１５に画像を表示させる。ＬＣＤ１５に表示させる画像は、動画像と静止画像とを含む。
【００３５】
カードＩ／Ｆ２７には、着脱可能なフラッシュメモリ２７Ａが装着される。制御部２１は、カードＩ／Ｆ２７を介して、フラッシュメモリ２７Ａにアクセスが可能である。なお、ここでは制御部２１が実行するためのプログラムをＥＥＰＲＯＭ３１に記憶しておく例を説明するが、プログラムをフラッシュメモリ２７Ａに記憶しておき、フラッシュメモリ２７Ａからプログラムを読み出して、制御部２１が実行するようにしてもよい。プログラムを記憶する記録媒体としては、フラッシュメモリ２７Ａに限られず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ、ＥＥＰＲＯＭなどの半導体メモリ等でもよい。また、携帯電話機１をインターネットに無線回路２２を介して接続し、インターネットに接続されたコンピュータからプログラムをダウンロードして、制御部２１が実行するようにしてもよい。ここでいうプログラムは、制御部２１が直接実行可能なプログラムだけでなく、ソースプログラム形式のプログラム、圧縮処理されたプログラム、暗号化されたプログラム等を含む。
【００３６】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。
【００３７】
受光部２５は、赤外光を受光する受光素子を備え、制御部２１により制御され、制御部２１からの指示に従って、受光素子が受光する赤外光の強度を測定し、測定された光の強度を制御部２１に出力する。なお、受光部２５が受光する光は、赤外光に限らず、可視光であってもよい。
【００３８】
図３は、携帯電話機が充電器と接続された状態を示す図である。図３を参照して、充電器１０１は、本体部１０５と、コネクタ１０３と、発光部１０７と、を含む。本体部１０５は、商用電源または車載バッテリに接続される。コネクタ１０３は、充電端子１９と電気的に接続される。コネクタ１０３は、本体部１０５とケーブル１０９を介して接続される。なお、ここでは、コネクタ１０３を携帯電話機１の充電端子１９と接続する場合を例に説明するが、コネクタ１０３を充電台に接続し、携帯電話機１が充電台に搭載されるとコネクタが携帯電話機１と電気的に接続されるようにしてもよい。
【００３９】
発光部１０７は、本体部１０５に設置され、本体部１０５が商用電源または車載バッテリに接続されると、予め定められた光の強度で発光し、赤外光を照射する。また、発光部１０７は、コネクタ１０３が携帯電話機１と接続される間、予め定められた光の強度で発光するようにしてもよい。この場合、本体部１０５が商用電源または車載バッテリに接続されていない場合、携帯電話機１から電力が供給されて発光する。また、本体部１０５に、コネクタ１０３が携帯電話機１と接続されると、携帯電話機１と通信する通信手段を設け、携帯電話機１からの指示によって発光部１０７を発光させるようにしてもよい。
【００４０】
図４は、携帯電話機が備える制御部の機能の一例を示す機能ブロック図である。図４を参照して、制御部２１は、ＦＭトランスミッタ２３の送信電力を制御するための電力制御部５１と、外部機器の接続を検出するための接続検出部５３と、距離を測定する測距部５５と、を含む。
【００４１】
接続検出部５３は、イヤホンの接続、シリアル通信ケーブルの接続、および充電器１０１の接続を検出する。具体的には、接続検出部５３は、イヤホン端子１７にイヤホンが接続されると、イヤホンの接続を検出する。イヤホン端子１７が備える所定の接続端子の電圧の変化を検出するようにしてもよいし、イヤホン端子１７にイヤホンの接続を検出するためのスイッチを設けるようにしてもよい。また、接続検出部５３は、シリアル通信端子１８にシリアル通信ケーブルが接続されると、シリアル通信ケーブルの接続を検出する。シリアル通信端子１８が備える所定の接続端子の電圧の変化を検出するようにしてもよいし、シリアル通信端子１８にシリアル通信ケーブルの接続を検出するためのスイッチを設けるようにしてもよい。さらに、接続検出部５３は、充電端子１９にコネクタ１０３が接続されると、充電器１０１の接続を検出する。充電端子１９に所定の電圧が印加されることを検出すると、充電器１０１の接続を検出する。
【００４２】
接続検出部５３は、イヤホンの接続、シリアル通信ケーブルの接続、および充電器１０１の接続のいずれかを検出すると、イヤホン端子１７、シリアル通信端子１８、充電端子１９のいずれに外部機器が接続されたことを示す接続信号を電力制御部５１および測距部５５に出力する。イヤホンが接続された場合にはイヤホン端子１７の識別情報を含む接続信号を出力し、シリアル通信機器が接続された場合にはシリアル通信端子１８の識別情報を含む接続信号を出力し、充電器１０１が接続されたならば充電端子１９の識別情報を含む接続信号を出力する。接続検出部５３は、イヤホンの接続、シリアル通信ケーブルの接続、および充電器１０１の接続のいずれも検出しない場合には、いずれも接続されていないことを示す接続信号を電力制御部５１に出力する。
【００４３】
測距部５５は、接続検出部５３から接続信号が入力される。測距部５５は、入力される接続信号が、充電端子１９の識別情報を含む場合、受光部２５に赤外光を受光させ、受光部２５が出力する光の強度を受け付ける。充電器１０１の発光部１０７が照射する光の強度は、予め定められているので、ＥＥＰＲＯＭ３１に光の強度と距離との関係を定義する光の強度テーブルを予め記憶しておき、この光の強度テーブルを参照することにより、受光部２５が出力する光の強度から携帯電話機１と充電器１０１の発光部１０７との間の距離、換言すれば、携帯電話機１と本体部１０５との間の距離を取得する。測距部５５は、取得した距離を電力制御部５１に出力する。
【００４４】
電力制御部５１は、接続検出部５３から入力される接続信号に基づいて、接続状態を検出する。ここでは、携帯電話機１に何も接続されていない第１接続状態と、充電器１０１のみが接続された第２接続状態と、イヤホン端子１７、シリアル通信端子１８、充電端子１９の１以上に外部機器が接続された第２接続状態を除く第３接続状態と、を検出する。
【００４５】
電力制御部５１は、接続検出部５３から接続信号が入力されない場合、第１接続状態を検出する。接続検出部５３から接続信号が入力される場合であって、その接続信号が充電端子１９の識別情報を含む接続信号のみの場合、第２接続状態を検出する。接続検出部５３から接続信号が入力される場合であって、その接続信号が充電端子１９の識別情報を含む接続信号のみでない場合、第３接続状態を検出する。
【００４６】
電力制御部５１は、第１接続状態を検出すると、デフォルト送信電力Ｅｍａｘに決定し、デフォルト送信電力Ｅｍａｘで電波を送信するようにＦＭトランスミッタ２３を制御する。送信電力Ｅｍａｘは、携帯電話機１に外部機器が何も接続されていない場合に、アンテナ２３Ａから送出されるＦＭ電波の電波強度が予め定められた値以下となる最大の値とするのが好ましい。
【００４７】
電力制御部５１は、第２接続状態を検出すると、測距部５５から入力される距離に基づいて送信電力を決定し、決定した送信電力で電波を送信するようにＦＭトランスミッタ２３を制御する。
【００４８】
携帯電話機１と発光部１０７との間の距離から充電器１０１のケーブル１０１の形状がわかる。携帯電話機１と発光部１０７との間の距離が、ケーブル１０１の長さに近ければ、ケーブル１０１が真っ直ぐ伸びた形状である。ケーブル１０１の形状が直線に近い場合における携帯電話機１と発光部１０７との間の第１の距離と、携帯電話機１のアンテナ利得とを予め実験により計測し、計測したアンテナ利得に対応する第１送信電力Ｅ１を算出しておく。携帯電話機１は、第１の距離と第１送信電力Ｅ１とを関連付けてＥＥＰＲＯＭ３１に予め記憶している。
【００４９】
また、携帯電話機１と発光部１０７との間の距離が、ケーブル１０１を折り畳む、または円形にまとめる等して、所定の長さなった状態であれば、ケーブル１０１が所定の長さの形状である。ケーブル１０１が所定の長さの状態における携帯電話機１と発光部１０７との間の第２の距離と、携帯電話機１のアンテナ利得を予め実験により計測し、計測したアンテナ利得に対応する第２送信電力Ｅ２を算出しておく。携帯電話機１は、第２の距離と第２送信電力Ｅ２とを関連付けてＥＥＰＲＯＭ３１に予め記憶している。第２送信電力Ｅ２は、経験的に、第１送信電力Ｅ１よりも大きく、デフォルト送信電力Ｅｍａｘより小さいことが知られている。
【００５０】
また、複数の接続状態それぞれで外部機器が接続された場合における携帯電話機１のアンテナ利得の最大値を実験により計測し、最大となるアンテナ利得と予め定められた送信電力とから第３送信電力Ｅ３を算出しておく。携帯電話機１は、算出して求められた第３送信電力Ｅ３を予めＥＥＰＲＯＭ３１に記憶している。接続される外部機器の種類により携帯電話機１のアンテナ利得は異なるが、イヤホン端子１７、シリアル通信端子１８および充電端子１９それぞれに、接続可能な外部機器の種類は限られている。外部機器の種類が定まれば、その種類の外部機器に対して、携帯電話機１のアンテナ利得が取り得る最大値が定まる。例えば、イヤホン端子１７に接続することが可能な種類の外部機器のうちでそれが携帯電話機１に接続された場合における携帯電話機１のアンテナ利得の最大となるものが定まり、それが携帯電話機１に接続された場合における携帯電話機１のアンテナ利得とすればよい。送信電力Ｅ３は、複数の接続状態において、外部機器が接続された場合における携帯電話機１のアンテナ利得の最大値に基づき、アンテナ２３Ａから送出されるＦＭ電波の電波強度が予め定められた値以下となる値に定められた値である。第３送信電力Ｅ３は、携帯電話機１のアンテナ利得が最大となるときの送信電力なので、最も小さな値である。
【００５１】
電力制御部５１は、第２接続状態を検出すると、測距部５５から入力される距離が予め定められたしきい値（第１の距離）以上ならば第１送信電力Ｅ１に決定し、第１送信電力Ｅ１で電波を送信するようにＦＭトランスミッタ２３を制御する。なお、受光部２５が光を受光することができずに、測距部５５により距離を測定できない場合は、しきい値より小さいと判断する。
【００５２】
また、電力制御部５１は、第２接続状態を検出すると、測距部５５から入力される距離がしきい値（第１の距離）より小さければ、警告部５７に警告信号を出力するとともに、ユーザによる許可を受け付ける。ユーザが操作キー１４に含まれる複数のキーのうち許可を入力するために予め割り当てられたキーを押下すると、許可を受け付ける。ユーザによる許可は、ユーザが、ケーブル１０１を折り畳むなどしてケーブルが所定の長さとなる状態にした後に、ユーザにより入力されることが前提となる。電力制御部５１は、ユーザによる許可を受けつけることを条件に、第２送信電力Ｅ２に決定し、第２送信電力Ｅ２で電波を送信するようにＦＭトランスミッタ２３を制御する。一方、電力制御部５１は、許可信号を受け付けない場合、第３送信電力Ｅ３に決定し、第３送信電力Ｅ３で電波を送信するようにＦＭトランスミッタ２３を制御する。
【００５３】
携帯電話機１と発光部１０７との間の距離がしきい値より小さく、ユーザによる許可が受け付けられた場合は、ケーブル１０１が所定の長さの状態であり、充電器１０１が予め定められた形状なので、第２送信電力Ｅ２に決定し、第２送信電力Ｅ２で電波を送信するようにＦＭトランスミッタ２３を制御する。このため、ケーブル１０１が所定の長さの状態においては、アンテナ利得が低減するが、第１送信電力Ｅ１よりも大きな第２送信電力で電波が送信されるので、ＦＭトランスミッタ２３から出力される電波の電界強度が予め定められた値を超えないようにするとともに、相手側受信機等の電波の受信感度を高くすることができる。
【００５４】
一方、携帯電話機１と発光部１０７との間の距離がしきい値より小さく、ユーザによる許可が受け付けられない場合は、第３送信電力Ｅ３に決定し、第３送信電力Ｅ３で電波を送信するようにＦＭトランスミッタ２３を制御する。これにより、ＦＭトランスミッタ２３から出力される電波の電界強度が予め定められた値を超えないようにすることができる。ユーザによる許可が受け付けられない場合は、ケーブル１０１が曲線形状等である場合があり、充電器１の形状を特定することができず、アンテナ利得を特定することができないからである。なお、第３送信電力Ｅ３で電波を送信するのに代えて、ＦＭトランスミッタ２３を駆動しないようにしてもよい。
【００５５】
電力制御部５１は、第３接続状態を検出すると、第３送信電力Ｅ３に決定し、第３送信電力Ｅ３で電波を送信するようにＦＭトランスミッタ２３を制御する。これにより、ＦＭトランスミッタ２３から出力される電波の電界強度が予め定められた値を超えないようにすることができる。なお、第３接続状態が検出される場合、ＦＭトランスミッタ２３を駆動しないようにしてもよい。
【００５６】
警告部５７は、電力制御部５１から警告信号が入力されると、ユーザに警告する。警告は、充電器１０１のケーブル１０９が所定の長さになるようにケーブル１０９の形状を整えることを促すためのもので、例えば、ＬＣＤ１５に「充電器のケーブルを折り畳んでください」のメッセージを表示する。また、第２スピーカ１２から所定の着信音を発音するようにしてもよいし、振動部２６を所定のパターンで振動させるようにしてもよい。さらに、「充電器のケーブルを折り畳んでください」のメッセージを音声で第２スピーカ２３から出力してもよいし、「充電器のケーブルを折り畳んでください」のメッセージを記述し、所定の電子メールアドレスを宛先に設定した電子メールを生成し送信するようにしてもよい。なお、警告は、充電器１０１のケーブル１０９が直線形状となるように携帯電話機１を配置することを促すためのものであってもよい、例えば、ＬＣＤ１５に「携帯電話機を充電器から離してください」のメッセージを表示する。
【００５７】
図５は、送信電力制御処理の流れの一例を示すフローチャートである。送信電力制御処理は、制御部２１がＥＥＰＲＯＭ３１に記憶された送信電力制御プログラムを実行することにより、制御部２１により実行される処理である。
【００５８】
図５を参照して、制御部２１は、ＦＭトランスミッタ２３がＯＮになったか否かを判断する。ユーザが操作キー１４にＦＭトランスミッタ２３を起動するための操作を入力すると、制御部２１は操作キー１４から起動するための操作を受け付ける。制御部２１は、操作キー１４から起動するための操作を受け付けると、ＦＭトランスミッタ２３を起動し、ＦＭトランスミッタ２３がＯＮになったと判断する。制御部２１は、ＦＭトランスミッタ２３がＯＮになるまで待機状態となり（ステップＳ０１でＮＯ）、ＦＭトランスミッタ２３がＯＮになったと判断すると、処理をステップＳ０２に進める。すなわち、送信電力制御処理は、ＦＭトランスミッタ２３がＯＮになる操作が受け付けられることを条件に実行される処理である。
【００５９】
ステップＳ０２においては、外部機器が接続されたか否かを判断する。具体的には、イヤホンの接続、シリアル通信ケーブルの接続、および充電器１０１の接続のいずれかを検出したか否かを判断する。外部機器が接続されたことを検出すると、処理をステップＳ０３に進めるが、そうでなければ処理をステップＳ１３に進める。処理をステップＳ１３に進める場合は、第１接続状態である。
【００６０】
ステップＳ１３においては、予め定められたデフォルト送信電力ＥｍａｘをＦＭトランスミッタ２３の送信電力に設定し、処理をステップＳ０７に進める。具体的には、デフォルト送信電力Ｅｍａｘで信号を出力するようにＦＭトランスミッタ２３を制御する。
【００６１】
ステップＳ０３においては、接続された外部機器が充電器１０１のみか否かを判断する。充電器１０１のみが接続される第２接続状態ならば処理をステップＳ０４に進め、そうでなく第３接続状態ならば処理をステップＳ１１に進める。
【００６２】
ステップＳ０４においては、接続されている充電器１０１の本体部１０５までの距離を測定する。ここでは、受光部２５に受光させ、受光部２５が出力する光の強度を受け付ける。そして、ＥＥＰＲＯＭ３１に記憶されている光の強度テーブルを参照して、受光部２５から受け付けられた光の強度に関連付けられている距離を取得する。
【００６３】
ステップＳ０５においては、ステップＳ０４において取得された測定距離を予め定められたしきい値と比較する。しきい値は、ここでは第１の距離である。測定距離がしきい値（第１の距離）以上ならば処理をステップＳ０６に進めるが、そうでなければ処理をステップＳ０８に進める。ステップＳ０６においては、ＦＭトランスミッタ２３の送信電力をしきい値の距離に対して予め定められた第１送信電力Ｅ１に設定し、処理をステップＳ０７に進める。これにより、ＦＭトランスミッタ２３は、第１送信電力Ｅ１で電波を送出する。
【００６４】
一方、ステップＳ０８においては、警告する。具体的には、ＬＣＤ１５に「充電器のケーブルを折り畳んでください」のメッセージを表示する。また、第２スピーカ１２から所定の着信音を発音するようにしてもよいし、振動部２６を所定のパターンで振動させるようにしてもよい。さらに、「充電器のケーブルを折り畳んでください」のメッセージを音声で第２スピーカ２３から出力してもよいし、「充電器のケーブルを折り畳んでください」のメッセージを記述し、所定の電子メールアドレスを宛先に設定した電子メールを生成し送信するようにしてもよい。
【００６５】
ステップＳ０９においては、ユーザによる許可を受け付けたか否かを判断する。許可を入力するために操作キー１４に予め割り当てられたキーをユーザが押下すると、ユーザによる許可を受け付ける。ユーザによる許可を受け付けたならば処理をステップＳ１０に進めるが、そうでなければ処理をステップＳ１１に進める。
【００６６】
次のステップＳ１０においては、ＦＭトランスミッタ２３の送信電力を予め定められた第２送信電力Ｅ２に設定し、処理をステップＳ０７に進める。これにより、ＦＭトランスミッタ２３は、第１送信電力Ｅ１より大きな第２送信電力Ｅ２で電波を送出する。
【００６７】
一方、ステップＳ１１においては、第１送信電力Ｅ１より小さな第３送信電力Ｅ３で電波を送出する。なお、ステップＳ１０においては、ＦＭトランスミッタ２３を駆動しないようにし、電波を送信しないようにしてもよい。
【００６８】
処理がステップＳ１２に進む場合は、第３接続状態のときである。ステップＳ１２においては、ＦＭトランスミッタ２３の送信電力を予め定められた第３送信電力Ｅ３に設定し、処理をステップＳ０７に進める。これにより、ＦＭトランスミッタ２３は、第３送信電力Ｅ３で電波を送出する。
【００６９】
ステップＳ０７においては、ＦＭトランスミッタ２３がＯＦＦになったか否かを判断する。制御部２１は、操作キー１４からＦＭトランスミッタ２３をＯＦＦにするための操作を受け付けると、ＦＭトランスミッタ２３がＯＦＦになったと判断し、ＦＭトランスミッタ２３を停止させる。ＦＭトランスミッタ２３がＯＦＦになったと判断した場合は処理を終了し、そうでなければ処理をステップＳ０２に戻す。
【００７０】
以上説明したように、本実施の形態における携帯電話機１は、イヤホン、シリアル通信ケーブルおよび充電器１０１のいずれかが接続されたことを検出し、充電器１０１が接続された場合に充電器１０１の本体部１０５との間の距離を測定し、測定された距離に基づいてＦＭトランスミッタ２３が電波を送信する送信電力を制御する。充電器１０１との間の距離に基づいて充電器１０１と接続された携帯電話機１全体の形状が定まり、その形状における携帯電話機１のアンテナ利得を予め計測しておけば、送信される電波の電波強度が所定の値以下となる送信電力を予め定めることができる。充電器１０１との間の距離に対応して予め定めた第１送信電力Ｅ１で送信するようにしたので、送信される電波の電波強度が所定の値以下とすることができる。したがって、充電器１０１が接続される場合であっても適切な電波強度で電波を送信することができる。
【００７１】
また、充電器１０１との間の距離がしきい値以上の場合、充電器１０１と接続された全体の形状が定まり、アンテナ利得が増大するが、充電器１０１が接続されていない場合における送信電力よりも小さくするので、送信される電波の電波強度が大きくならず、所定の値以下とすることができる。
【００７２】
また、充電器１０１との間の距離が第１の距離より小さい場合における充電器１０１と接続された全体の形状を、ケーブル１０９を折り畳んだ状態の１つに定めておけば、充電器１０１のケーブル１０９を折り畳んだ状態のアンテナ利得が求まり、そのアンテナ利得は充電器１０１との間の距離が第１の距離以上の場合のそれよりも小さくなる。このため、充電器１０１との間の距離が第１の距離より小さい場合に、予め定められた充電器１０１と接続された全体の形状がユーザに確認されると、充電器１０１との間の距離が第１の距離以上の場合における送信電力よりも大きくするので、送信される電波の電波強度を、所定の値以下に抑えつつ、可能な限り大きくすることができる。
【００７３】
また、充電器１０１との間の距離がしきい値より小さい場合、または、充電器１０１との間の距離を測定できない場合に、警告を発するようにしたので、ユーザに充電器１０１との接続形状が適切でないことを通知することができる。ユーザが、携帯電話機１と充電器１０１との間の距離をしきい値以上にすれば、適切な第１送信電力１で電波が送信されるので、受信感度をよくすることができる。
【００７４】
＜第１の変形例＞
上述した実施の形態においては、第２の距離に対応する充電器１０１の状態として、ケーブル１０９を折り畳んで所定の長さの状態とし、その状態における第２送信電力Ｅ２を予め計測しておくようにした。第１の変形例における携帯電話機１においては、ケーブル１０９を折り畳んで所定の長さの状態における第２送信電力Ｅ２を予め計測していない場合である。この場合、第２送信電力がＥＥＰＲＯＭ３１に記憶されていないので、送信電力を定めることができない。この場合には、携帯電話機１のアンテナ利得が不明であるので、第３接続状態と同様に第３送信電力Ｅ３で電波を送信するようにＦＭトランスミッタ２３を制御する。
【００７５】
具体的には、図６に示した送信電力制御処理において、ステップＳ２１、ステップＳ０９およびステップＳ１０を実行しないようにし、ステップＳ０８において、警告した後に、ステップＳ１１を実行する。ステップＳ０８における警告は、充電器１０１のケーブル１０９が直線形状となるように携帯電話機１を配置することを促すためのものであって、例えば、ＬＣＤ１５に「携帯電話機を充電器から離してください」のメッセージを表示する。
【００７６】
第１の変形例における携帯電話機１によれば、携帯電話機１と発光部１０７との間の距離がしきい値（第１の距離）より小さい場合は、ケーブル１０１の形状を特定することができず、アンテナ利得を特定することができないので、充電器との間の距離が第１の距離以上の場合における第１送信電力Ｅ１よりも小さい、最小の第３送信電力Ｅ３で送信するようにした。このため、ＦＭトランスミッタ２３から出力される電波の電界強度が予め定められた値を超えないようにすることができる。なお、第３送信電力Ｅ３で電波を送信するのに代えて、ＦＭトランスミッタ２３を駆動しないようにしてもよい。
【００７７】
＜第２の変形例＞
上述した実施の形態における携帯電話機１は、ケーブル１０９を折り畳んで所定の長さの状態とし、その状態における第２送信電力Ｅ２を予め計測しておくようにした。第２の変形例における携帯電話機１は、ケーブル１０９を折り畳んで所定の長さの状態であることを検出する条件として、測距部５５により測定された距離が第２の距離以下であることを条件としたものである。電力制御部５１は、電力制御部５１は、第２接続状態を検出すると、測距部５５から入力される距離が第２の距離より小さければ、警告部５７に警告信号を出力するとともに、ユーザによる許可を受け付ける。電力制御部５１は、ユーザによる許可を受けつけることを条件に、第２送信電力Ｅ２に決定し、第２送信電力Ｅ２で電波を送信するようにＦＭトランスミッタ２３を制御する。一方、電力制御部５１は、測距部５５により測定された距離が第２の距離以下でない場合、または、第２の距離以下であるがユーザによる許可を受け付けない場合、第３送信電力Ｅ３に決定し、第３送信電力Ｅ３で電波を送信するようにＦＭトランスミッタ２３を制御する。
【００７８】
図６は、第２の変形例における送信電力制御処理の流れの一例を示すフローチャートである。図６を参照して、図５に示した送信電力制御処理と異なる点は、図５のステップＳ０５が変更されてステップＳ０５Ａとなった点、およびステップＳ２１が追加された点である。その他の処理は図５に示した送信電力制御処理と同じなのでここでは説明を繰り返さない。図６を参照して、ステップＳ０５Ａにおいては、ステップＳ０４において取得された測定距離を第１のしきい値、ここでは第１の距離と比較する。測定距離が第１のしきい値（第１の距離）以上ならば処理をステップＳ０６に進めるが、そうでなければ処理をステップＳ０８に進める。
【００７９】
ステップＳ２１においては、ステップＳ０４において取得された測定距離を第２のしきい値、ここでは第２の距離と比較する。測定距離が第２のしきい値（第２の距離）以下ならば処理をステップＳ０９に進めるが、そうでなければ処理をステップＳ１１に進める。
【００８０】
したがって、処理をステップＳ１０に進めるためには、測定距離が第２のしきい値（第２の距離）以下であり（ステップＳ２１でＹＥＳ）、かつ、ユーザによる許可が受け付けられた場合（ステップＳ０９でＹＥＳ）である。
【００８１】
第２の変形例における携帯電話機１は、ＦＭトランスミッタ２３の送信電力を、第２送信電力Ｅ２にするために、携帯電話機１と充電器１０１との間の距離が第２の距離以下であることを条件とするので、充電器１０１がケーブル１０９を折り畳んで所定の長さの状態であることを正確に検出することができる。
【００８２】
＜第３の変形例＞
上述した実施の形態では、例えば図５のステップＳ０９に示されるように、ユーザによる許可の受付を待って、第２の送信電力Ｅ２に設定するものとしたが（ステップＳ１０）、このステップＳ０９におけるユーザの許可の受付処理を省いてもよい。すなわち、図５のフローチャートにおいて、ステップＳ０９、ステップＳ１１の処理を省き、ステップＳ０８における警告が発せられた後、ＦＭトランスミッタ２３が、送信電力を第１送信電力Ｅ１よりも大きい、第２送信電力Ｅ２に設定するものとしでもよい。この第３の変形例の場合、ユーザによる許可の入力処理、その受付確認処理がなくなるため、ユーザの利便性を向上させ、電子機器の処理負担を削減することができる。
【００８３】
＜第４の変形例＞
上述した実施の形態では、図５のステップＳ０８で表示される警告の内容として、「充電器のケーブルを折り畳んでください」というメッセージであったが、測定距離がしきい値以下の場合、そもそもケーブルの長さが短く、アンテナ利得が小さい場合もある。そこで、警告する表示として、例えば「充電器のケーブルは短いタイプのものですか」や、「充電器のケーブルを折り畳むか、または、充電器のケーブルは短いタイプのものであることを確認してください」といったケーブルの長さが短いことを確認させる内容を含む警告表示としても良い。この第４の変形例の場合、様々なタイプのケーブルに適切に対応することができる。
【００８４】
なお、本実施の形態においては、電子機器の一例として携帯電話機１を例に説明したが、ＦＭトランスミッタ２３を備えた装置であれば、送信機等の電子機器であってもよい。
【００８５】
また、充電器１０１を携帯電話機１に接続された場合に充電器１０１までの距離を計測するようにしたが、充電器１０１に限らず、シリアル通信ケーブルで接続される機器またはイヤホンに発光する発光部を設けるようにして、それらとの距離を計測するようにしてもよい。この場合には、シリアル通信機器またはイヤホンの形状からアンテナ利得が定まるので、上述したのと同様に、シリアル通信機器またはイヤホンが接続された場合であっても、それとの間の距離を計測すれば、送信される電波強度が所定の値以下となるように送信電力を定めることができる。
【００８６】
また、図５または図６に示した処理を実行するための送信電力制御方法、またはその送信電力制御方法をコンピュータに実行させるための送信電力制御プログラムとして発明を捉えることができるのは言うまでもない。
【００８７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８８】
＜付記＞
（１）  前記送信電力制御手段は、前記測定された距離がしきい値より小さい場合に、前記測定された距離が前記しきい値以上の場合における送信電力よりも小さくする、請求項２に記載の電子機器。
【００８９】
この局面に従えば、外部機器との間の距離がしきい値より小さく、外部機器と接続された全体の形状が定まらない場合、アンテナ利得が不明であるが、外部機器との間の距離がしきい値以上の場合における送信電力よりも小さくするので、送信される電波の電波強度が所定の値よりも大きくならないようにすることができる。
【図面の簡単な説明】
【００９０】
【図１】本発明の実施の形態の一つにおける携帯電話機の外観を示す斜視図である。
【図２】本実施の形態における携帯電話機の機能の一例を示す機能ブロック図である。
【図３】携帯電話機が充電器と接続された状態を示す図である。
【図４】携帯電話機が備える制御部の機能の一例を示す機能ブロック図である。
【図５】送信電力制御処理の流れの一例を示すフローチャートである。
【図６】第２の変形例における送信電力制御処理の流れの一例を示すフローチャートである。
【符号の説明】
【００９１】
１  携帯電話機、２  表示側部、３  操作側部、１１  第１スピーカ、１２  第２スピーカ、１３  マイクロホン、１４  操作キー、１４Ａ  電源キー、１５  ＬＣＤ、１５Ａ  小型ＬＣＤ、１７  イヤホン端子、１８  シリアル通信端子、１９  充電端子、２１  制御部、２２  無線回路、２２Ａ  アンテナ、２３  ＦＭトランスミッタ、２３Ａ  アンテナ、２４  カメラ、２５  受光部、２６  振動部、２７  カードＩ／Ｆ、２７Ａ  フラッシュメモリ、２８  コーデック部、２９  切換部、３０  表示制御部、５１  電力制御部、５３  接続検出部、５５  距離受付部、５７  警告部。
【図１】
2010056971.tif 000003
【図２】
2010056971.tif 000004
【図３】
2010056971.tif 000005
【図４】
2010056971.tif 000006
【図５】
2010056971.tif 000007
【図６】
2010056971.tif 000008